(57)【要約】【課題】美観の向上したゲル状の薬剤入りのパッケージ製品を提供する。【解決手段】空気清浄器と支持体とを備えるパッケージ製品が提供される。前記空気清浄器は、ゲル状の薬剤と、前記薬剤を収容する容器とを含む。前記支持体は、前記空気清浄器を支持し、前記空気清浄器を展示する展示状態に設置可能である。前記容器は、底面部及び前記底面部から起立する側面部を有する。前記底面部は、前記容器の内部を視認可能に構成されており、前記展示状態で、外側から視認可能な位置に配置される。前記側面部は、前記展示状態で、鉛直方向に対し前記底面部から離れるにつれて下方に傾斜する傾斜面を有する。【選択図】図９
2016147704.tif 000002
【特許請求の範囲】
【請求項１】
ゲル状の薬剤と、前記薬剤を収容する容器とを含む空気清浄器と、
前記空気清浄器を支持し、前記空気清浄器を展示する展示状態に設置可能な支持体と
を備え、
前記容器は、底面部及び前記底面部から起立する側面部を有し、
前記底面部は、前記容器の内部を視認可能に構成されており、前記展示状態で、外側から視認可能な位置に配置され、
前記側面部は、前記展示状態で、鉛直方向に対し前記底面部から離れるにつれて下方に傾斜する傾斜面を有する、
パッケージ製品。
【請求項２】
前記容器は、前記底面部の反対側において前記側面部により規定される開口を有し、
前記空気清浄器は、前記開口を塞ぐ吸水性を有するカバーシートをさらに含む、
請求項１に記載のパッケージ製品。
【請求項３】
前記容器は、前記側面部における前記開口側の端部から周方向外方へ延びるフランジ部をさらに含み、
前記カバーシートは、少なくとも前記傾斜面付近において前記カバーシートと前記フランジ部との間に前記容器の内部空間に連通する空間を確保するような態様で、周方向に亘って前記フランジ部に接着される、
請求項２に記載のパッケージ製品。
【請求項４】
前記空気清浄器は、前記カバーシートとの間に空間を保ちつつ、前記カバーシートを外側から覆う遮水シートをさらに含む、
請求項２又は３に記載のパッケージ製品。
【請求項５】
前記カバーシートは、不織布である、
請求項２から４のいずれかに記載のパッケージ製品。
【請求項６】
前記底面部は、透明である、
請求項１から５のいずれかに記載のパッケージ製品。
【請求項７】
前記支持体は、前記空気清浄器が固定される固定面部と、前記展示状態で前記固定面部を起立させる台座とを含む、
請求項１から６のいずれかに記載のパッケージ製品。
【請求項８】
前記展示状態は、前記空気清浄器を支持した前記支持体を吊り下げた状態である、
請求項１から６のいずれかに記載のパッケージ製品。
【請求項９】
前記支持体は、内部に前記空気清浄器を収容可能な箱体である、
請求項１から６のいずれかに記載のパッケージ製品。
【発明の詳細な説明】
【技術分野】
【０００１】
本発明は、ゲル状の薬剤入りの空気清浄器とこれを展示用に支持する支持体とを備えたパッケージ製品に関する。
【背景技術】
【０００２】
従来より、ゲル状の薬剤を容器内に収容した空気清浄器（特許文献１，２等参照）が知られている。この種のゲル状の薬剤は、水分を多く含有するため、水分が分離し得る。
【先行技術文献】
【特許文献】
【０００３】
【特許文献１】特開２０１０−２８０３９４公報
【特許文献２】特開２０００−２１２３５４公報
【発明の概要】
【発明が解決しようとする課題】
【０００４】
ところで、ゲル状の薬剤は、しばしば、外部から視認可能な態様で容器に収容される。このように構成すれば、例えば、使用済確認が可能となったり、ゲル状の薬剤がキラキラとして商品の美観を高めたりする等、様々な利点が想定されるからである。しかしながら、ゲル状の薬剤が外部から見えることは良くとも、ゲルから分離した水分まで外部から見えてしまうと、商品としての美観を損ない、商品の魅力を低下させてしまう虞がある。特にこの問題は、商品の陳列時に問題となり得、商品の美観が損なわれることで、人々の購入意欲が減退し得る。
【０００５】
本発明は、美観の向上したゲル状の薬剤入りのパッケージ製品を提供することを目的とする。
【課題を解決するための手段】
【０００６】
本発明の第１観点に係るパッケージ製品は、空気清浄器と、前記空気清浄器を支持し、前記空気清浄器を展示する展示状態に設置可能な支持体とを備える。前記支持体は、ゲル状の薬剤と、前記薬剤を収容する容器とを含む。前記容器は、底面部及び前記底面部から起立する側面部を有する。前記底面部は、前記容器の内部を視認可能に構成されており、前記展示状態で、外側から視認可能な位置に配置される。前記側面部は、前記展示状態で、鉛直方向に対し前記底面部から離れるにつれて下方に傾斜する傾斜面を有する。
【０００７】
ここでは、空気清浄器を含むパッケージ製品の展示状態で、ゲル状の薬剤入りの容器の底面部が外部から視認可能な位置に配置される。そして、この底面部に連なる容器の側面部には、同じく展示状態で、底面部から離れるにつれて鉛直下方に傾斜する傾斜面が設けられている。その結果、たとえ容器内でゲル状の薬剤から水分が分離したとしても、重力により当該水分は傾斜面を伝って底面部から離れるように流れる。そのため、底面部側から空気清浄器を見る者の目に水分が映りにくくなり、パッケージ製品の美観が向上する。
【０００８】
本発明の第２観点に係るパッケージ製品は、第１観点に係るパッケージ製品であって、前記容器は、前記底面部の反対側において前記側面部により規定される開口を有する。前記空気清浄器は、前記開口を塞ぐ吸水性を有するカバーシートをさらに含む。
【０００９】
ここでは、空気清浄器の容器が底面部の反対側において開口しており、当該開口が吸水性を有するカバーシートにより覆われている。その結果、パッケージ製品の展示状態で、薬剤から分離し上述の傾斜面を伝って流れた水分は、カバーシートに達し、これに吸収される。従って、底面部側から空気清浄器を見る者の目にさらに水分が映りにくくなり、パッケージ製品の美観がさらに向上する。
【００１０】
本発明の第３観点に係るパッケージ製品は、第２観点に係るパッケージ製品であって、前記容器は、前記側面部における前記開口側の端部から周方向外方へ延びるフランジ部をさらに含む。前記カバーシートは、少なくとも前記傾斜面付近において前記カバーシートと前記フランジ部との間に前記容器の内部空間に連通する空間を確保するような態様で、周方向に亘って前記フランジ部に接着される。
【００１１】
ここでは、空気清浄器の容器の開口付近にフランジ部が設けられており、このフランジ部に周方向に亘ってカバーシートが接着される。そして、少なくとも上述の傾斜面付近において、このカバーシートとフランジ部との間には、容器内に連通する空間が確保される。その結果、パッケージ製品の展示状態で、薬剤から分離し傾斜面を伝って流れた水分は、この空間に捕捉されることになる。従って、底面部側から空気清浄器を見る者の目にさらに水分が映りにくくなり、パッケージ製品の美観がさらに向上する。
【００１２】
本発明の第４観点に係るパッケージ製品は、第２観点又は第３観点に係るパッケージ製品であって、前記空気清浄器は、前記カバーシートとの間に空間を保ちつつ、前記カバーシートを外側から覆う遮水シートをさらに含む。
【００１３】
ここでは、容器の開口を覆う上述のカバーシートが、さらに外側から遮水シートで覆われている。その結果、水分が容器外へ漏れ出すことが防止される。また、ここでは、カバーシートと遮水シートとの間に空間が確保されており、容器内の水分をこの空間に捕捉することができる。従って、底面部側から空気清浄器を見る者の目にさらに水分が映りにくくなり、パッケージ製品の美観がさらに向上する。
【００１４】
本発明の第５観点に係るパッケージ製品は、第２観点から第４観点のいずれかに係るパッケージ製品であって、前記カバーシートは、不織布である。
【００１５】
ここでは、カバーシートとして不織布が使用される。従って、毛細管現象により、カバーシート全体で水分を捕捉することができる。よって、底面部側から空気清浄器を見る者の目にさらに水分が映りにくくなり、パッケージ製品の美観がさらに向上する。
【００１６】
本発明の第６観点に係るパッケージ製品は、第１観点から第５観点のいずれかに係るパッケージ製品であって、前記底面部は、透明である。
【００１７】
本発明の第７観点に係るパッケージ製品は、第１観点から第６観点のいずれかに係るパッケージ製品であって、前記支持体は、前記空気清浄器が固定される固定面部と、前記展示状態で前記固定面部を起立させる台座とを含む。
【００１８】
本発明の第８観点に係るパッケージ製品は、第１観点から第６観点のいずれかに係るパッケージ製品であって、前記展示状態は、前記空気清浄器を支持した前記支持体を吊り下げた状態である。
【００１９】
本発明の第９観点に係るパッケージ製品は、第１観点から第６観点のいずれかに係るパッケージ製品であって、前記支持体は、内部に前記空気清浄器を収容可能な箱体である。
【発明の効果】
【００２０】
本発明によれば、空気清浄器を含むパッケージ製品の展示状態で、ゲル状の薬剤入りの容器の底面部が外部から視認可能な位置に配置される。そして、この底面部に連なる容器の側面部には、同じく展示状態で、底面部から離れるにつれて鉛直下方に傾斜する傾斜面が設けられている。その結果、たとえ容器内でゲル状の薬剤から水分が分離したとしても、重力により当該水分は傾斜面を伝って底面部から離れるように流れる。そのため、底面部側から空気清浄器を見る者の目に水分が映りにくくなり、パッケージ製品の美観が向上する。
【図面の簡単な説明】
【００２１】
【図１】本発明の一実施形態に係る空気清浄器を示す斜視図である。
【図２】図１の空気清浄器の平面図である。
【図３】図２の空気清浄器の断面図である。
【図４】図１の空気清浄器におけるフランジ部の一部平面図（ａ）及び断面図（ｂ）である。
【図５】図１の空気清浄器におけるフランジ部の拡大断面図である。
【図６】図１の空気清浄器の使用方法を示す断面図である。
【図７】図１の空気清浄器の他の使用方法を示す断面図である。
【図８】本発明の一実施形態に係るパッケージ製品を前方から見た図である。
【図９】図８のパッケージ製品を側方から見た図である。
【図１０】図８のパッケージ製品を上方から見た図である。
【図１１】図８のパッケージ製品を後方から見た図である。
【図１２】支持体の展開図である。
【図１３】組立途中の支持体を示す図である。
【図１４】組立途中の支持体を示す別の図である。
【図１５】２つのパッケージ製品を省スペースに並べた状態を側方から見た図である。
【図１６】変形例に係る空気清浄器の断面図である。
【図１７】変形例に係るパッケージ製品の正面図である。
【発明を実施するための形態】
【００２２】
以下、図面を参照しつつ、本発明の一実施形態に係るゲル状の薬剤入りのパッケージ製品について説明する。
【００２３】
＜１．全体構成＞
図８は、本実施形態に係るパッケージ製品５を前方から見た図である。図８に示すように、パッケージ製品５は、ゲル状の薬剤２入りの空気清浄器１００と、これを展示用に支持する支持体６とを備えている。パッケージ製品５は、空気清浄器１００を販売するに当たり、販売促進のため、支持体６により空気清浄器１００を支持することで、空気清浄器１００を美しく展示できるようにしたものである。パッケージ製品５は、陳列棚等に起立させて展示することもできるし、吊り下げにより展示することもできる。以下、空気清浄器１００について説明した後、これを支持する支持体６について説明する。
【００２４】
＜２．空気清浄器＞
図１は、空気清浄器１００の斜視図、図２はその平面図、図３はその断面図である。図１〜図３に示すように、この空気清浄器１００は、上部に開口１１１を有し、ゲル状の薬剤２が収容される容器１を備えている。また、この空気清浄器１００には、容器１の上部開口１１１を塞ぐようにカバーシート３が取り付けられ、さらに、このカバーシート３を覆うようにガス不透過性の遮水シート４が取り付けられている。以下、各部材について説明する。
【００２５】
＜２−１．容器＞
容器１は、上部に矩形状の開口１１１を有する直方体状の容器本体１１と、この容器本体１１の開口１１１の周縁から周方向外方に延びるフランジ部１２とを備えており、これらが一体的に形成されている。なお、容器１の説明時における「上下」とは、特に断らない限り、容器１の底壁１１２を水平面上に載置した状態を基準に定義される。従って、底壁１１２側が下方であり、開口１１１側が上方である。容器本体１１は、矩形状の底壁１１２（底面部）と、この底壁１１２の各辺から上方に延びる４つ側壁１１３（側面部）とを備え、これら底壁１１２と側壁１１３とは一体的に形成されている。上記開口１１１は、底壁１１２の反対側において、側壁１１３により規定される。各側壁１１３は、上方にいくにしたがって、外方に向ってやや傾斜するように底壁１１２から起立している。そして、各側壁１１３の上端部には、水平方向に延びるフランジ部１２が形成されており、平面視において矩形状になるように一体的に連結されている。また、フランジ部１２の４つの角部は円弧状に形成されている。なお、本実施形態では、フランジ部１２は、周方向全体に亘って形成されているが、周方向に亘って局所的に形成されていてもよい。
【００２６】
容器１の形状は、特には限定されないが、例えば、側壁１１３を底面として自立できるような形状とすることができる。例えば、側壁１１３の長さを底壁１１２よりも長くしてもよいし、あるいは側壁１１３の長さが底壁１１２よりも短かったとしても、側壁１１３は、底面として自立できるような長さであればよい。
【００２７】
この容器１を構成する材料は特には限定されず、種々の樹脂材料で形成することができる。しかしながら、流通時や誤って転落した場合等、パッケージ製品５に予期せぬ外力が加わることがある。従って、そのような場合にも、パッケージ製品５を保護することができる程度の可撓性を有する軟質の材料で形成することが好ましい。例えば、図３に示すように、ポリエチレンテレフタレートからなる外層１１０と、その内側に積層され、ポリエチレンからなる内層１２０と、で形成することができる。この構成の場合、容器本体１１の内部空間側の内壁面は、内層１２０で形成され、外壁面は外層１１０で形成される。また、フランジ部１２は、上面が内層１２０で形成され、下面が外層１１０で形成される。但し、容器１を構成する材料は、これ以外でもよいが、例えば、後述するように、カバーシート３との溶着を容易にするという観点からすると、カバーシート３と対向する層、つまり内層１２０の融点が、外層１１０の融点よりも低いことが好ましい。また、容器１は、１層で形成することもできるし、３層以上で形成することもできる。なお、容器１に可撓性がある場合、容器１がやや転倒しやすくなるが、上記フランジ部１２により、開口１１１が下方を向くまで転倒する可能性は低いと言える。
【００２８】
また、容器１は、その全体が透明（半透明を含む）に形成されており、外部から内部を視認可能である。従って、後述するように、容器１内に封入された薬剤２がキラキラと輝く様を外部から視認することができ、空気清浄器１００の美観が高められている。
【００２９】
＜２−２．カバーシート＞
次に、カバーシート３について説明する。カバーシート３は、吸水性及び通気性を有するシートで形成され、例えば、多孔性のシートや不織布により形成することができる。不織布としては、例えば、シルク、麻、羊毛、コットン、パルプ、ポリエチレン、ポリエチレンテレフタレート、アセテート、ナイロン、アクリル、ビニロン、キュプラ、エチレン酢酸ビニル、レーヨン、ポリエステル、ポリプロピレン、ポリウレタン、ポリ塩化ビニルなどからなる繊維、又はこれらを組み合わせた複合繊維により形成することができる。
【００３０】
不織布を構成する繊維としては、例えば、芯鞘構造の繊維からなる不織布を用いることができる。この場合、例えば、ポリエチレンテレフタレートからなる芯材と、これを被覆するポリエチレンからなる鞘材とで形成された不織布を用いることができる。
【００３１】
また、このような不織布は、湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法などの方法により製造することができる。
【００３２】
＜２−３．遮水シート＞
遮水シート４は、上述したカバーシート３を外側から覆うものであり、液不透過性であれば特には限定されない。例えば、ポリエチレン等を主成分とする樹脂製のシートで構成することができるが、その他、ポリエステル、ポリビニルアルコール、ポリプロピレン、ナイロン、セロファン、ビニロン、塩化ビニルなどを用いることもできる。また、複数の層で形成することでき、後述するように、カバーシート３への取付を考慮すると、カバーシート３と同種の材料を含む複数の層で形成することができる。例えば、図３に示すように、下から、ポリエチレンからなる第１層４１、ナイロンからなる第２層４２、及びポリエチレンテレフタレートからなる第３層４３を積層した３層構造のシートで形成することができる。図３の例では、遮水シート４においてカバーシートと対向する第１層４１と、カバーシート３とが同種の材料であるため、両シート３，４の溶着が容易になる。また、溶着を容易にするという観点からすると、カバーシート３と接する層は、他の層と比べ、融点が最も低い材料であることが好ましい。但し、遮水シート４の層構造は、これ以外でもよい。
【００３３】
＜２−４．薬剤＞
薬剤２は、ゲル状である。また、薬剤２の形状は、種々の形状とすることができ、例えば、球状、直方状、星型等の幾何学体であってもよく、また動物、植物、アニメキャラクター等の特殊形状であってもよいが、本実施形態では、ビーズのような玉状に形成される。また、本実施形態では、このようなビーズ状の薬剤２の多数の玉が、容器１内に収容される。なお、個々の薬剤の形状については、同じ形状であっても、異なる形状であっても構わない。また、薬剤２の形状を、容器１の内部空間の形状と概ね等しい直方体状とすることもできる。
【００３４】
薬剤２は、水分及び機能性成分を含有しており、この水分は、ゲル状のビーズ玉から分離し得る。ここで機能性成分とは、空気清浄器１００が使用される環境で所望の空気清浄機能を発現可能である成分であり、その一例として、芳香成分、消臭成分、防虫成分、抗菌成分等が挙げられる。このような機能性成分は、油性及び水溶性のいずれであってもよい。なお、機能性成分が油性である場合には、薬剤２に油分を含ませておくことが重要である。本発明では、機能性成分として、好ましくは、使用される環境で空気中に揮散可能である成分が挙げられる。これらの機能性成分は、１種単独で使用してもよく、また２種以上を組み合わせて使用してもよい。好ましい組み合わせとしては、芳香成分及び消臭成分の組み合わせが挙げられる。
【００３５】
具体的には、芳香成分としては、例えば、ラベンダ−、レモン、オレンジ、ジャスミン、ペパ−ミント等の天然香料；リモネン、タ−ピノレン、ゲラニオ−ル、シトロネロ−ル、酢酸エチル等の合成香料；及びこれらのブレンド香料等が挙げられる。
【００３６】
また、消臭成分としては、例えば、イネ、松、ヒノキ、笹等の植物の抽出物；脱塩型ベタイン化合物；変性有機酸化合物；トリエタノールアミン；安定化二酸化塩素；アルデヒド化合物等が挙げられる。
【００３７】
防虫成分としては、例えば、ヒノキチオール、ヒバ油、アリルイソチオシアネート、エタノール、プロパノール、１．８．シネオール等が挙げられる。
【００３８】
抗菌成分としては、例えば、オクチルトリメチルアンモニウムクロライド、ジデシルジメチルアンモニウムグルコン酸、クロルヘキシジン、グルコン酸クロルヘキシジン、アリルイソチオシアネート、プロピレングリコールモノメチルエーテル、プロピレングリコールモノプロピルエーテル等が挙げられる。
【００３９】
＜２−５．カバーシート、遮水シートの容器への取付＞
カバーシート３は、容器１のフランジ部１２に取り付けられる。このときの取付方法は、特には限定されないが、例えば、ヒートシールにより取り付けることができる。以下、ヒートシールにより、カバーシート３及び遮水シート４を容器１へ取り付ける方法の一例について、図４及び図５を参照しつつ、説明する。図４は、フランジ部１２の一部平面図（ａ）及び断面図（ｂ）、図５は、フランジ部１２の拡大断面図である。
【００４０】
まず、カバーシート３の周縁部を周方向全体に亘って、ヒートシールにより、フランジ部１２に溶着する。このとき、例えば、カバーシート３が、ポリエチレンの鞘材を有する芯鞘構造の繊維で形成され、フランジ部１２の上面（内層１２０）が同じくポリエチレンで形成されていれば、同種の材料であるため、溶着が容易になる。また、ヒートシールを施す領域（以下、第１溶着領域Ｈ１）は、特には限定されないが、例えば、図４に示すように、フランジ部１２の内周及び外周から隙間を空けた領域とすることができる。これにより、フランジ部１２の内周縁から第１溶着領域Ｈ１までの間は、カバーシート３がフランジ部１２を覆っているが、図５に示すように、フランジ部１２には固定されておらず、カバーシート３がフランジ部１２から離間可能となっている（符号Ｓ１の領域）。こうして、カバーシート３がフランジ部１２に溶着されると、その領域Ｈ１では不織布が溶融され、緻密な樹脂となる。なお、不織布として芯鞘構造の繊維で形成されたものを用いる場合には、ヒートシールの温度は、鞘材の融点よりも高く、芯材の融点よりも低くすることが好ましい。
【００４１】
続いて、遮水シート４をカバーシート３上に配置し、ヒートシールにより、遮水シート４をカバーシート３に固定する。このとき、上述したカバーシート３の第１溶着領域Ｈ１に、遮水シート４の周縁部を周方向全体に亘って溶着する。すなわち、第１溶着領域Ｈ１よりも狭い幅に亘ってヒートシールを施し（この領域を、以下、第２溶着領域Ｈ２と称する）、遮水シート４をカバーシート３に固定する。このとき、遮水シート４の下面（第１層４１）がポリエチレンで形成され、カバーシート３が上述したポリエチレンの鞘材を有する芯鞘構造の繊維で形成されていれば、同種の材料であるため、溶着が容易に行われる。こうして、フランジ部１２には、カバーシート３、及び遮水シート４がこの順で積層され、固定される。
【００４２】
上記のとおり、容器１では、カバーシート３とフランジ部１２との間に、容器１の内部空間に連通する空間Ｓ１が形成される。この空間Ｓ１は、本実施形態では、カバーシート３の周縁部において周方向全体に亘って形成されるが、周方向に亘って部分的に形成されるようにすることもできる。この場合、カバーシート３において、周方向に亘って少なくとも後述する展示状態で下方にくる部分に対応する部分に形成することが好ましい。この空間Ｓ１は、後述されるとおり、薬剤２から漏出した水分を捕捉する空間として機能し得るからである。
【００４３】
また、遮水シート４とカバーシート３とは、その周縁部の第２溶着領域Ｈ２において溶着されるのみで、第２溶着領域Ｈ２の内側は溶着されない。そのため、遮水シート４とカバーシート３との間には空間Ｓ２（図５参照）が形成されるようになっている。
【００４４】
＜２−６．空気清浄器の使用方法＞
続いて、上記のように構成された空気清浄器１００の使用方法について説明する。まず、図６に示すように、遮水シート４をカバーシート３から取り外す。これにより、カバーシート３が外部に露出する。カバーシート３は、通気性を有するため、外部からカバーシート３を介して、容器１内に空気が流入可能となる。そして、流入した空気に含まれる臭気は、ゲル状成形体に含まれる消臭成分と反応することにより浄化され、カバーシート３から外部へ排出される。このような空気の流入、浄化、及び排出を繰り返すことで、空気清浄器１００が配置された周囲の空気が浄化されていく。また、空気清浄器１００は、図７のような傾けた状態でも使用することができる。
【００４５】
＜３．支持体＞
次に、図８〜図１４を参照しつつ、支持体６の構成について説明する。図８〜図１１は、それぞれパッケージ製品５を前方、側方、上方、後方から見た図である。また、図１２〜図１４は、組立途中の支持体６を示す図である。
【００４６】
以下では、まず、支持体６を図１２に示す完全に展開した状態から、空気清浄器１００を加えてパッケージ製品５の完成体となるまで組み立ててゆく作業について説明した後、パッケージ製品５の完成体の特徴について説明する。
【００４７】
＜３−１．支持体の組み立て＞
支持体６は、概ね一定の厚みを有する厚紙を図１２に示す形状に切り取ったものであり、後述される支持体６の各部位は、一体的に形成されている。支持体６は、中央に矩形状の表面部材６０を有する。なお、図１２は、完全に展開した状態の支持体６を、表面部材６０の後面６０ｂ側から見た図となっている。表面部材６０の後面６０ｂは、パッケージ製品５の完成体の状態では、外部から見えない位置に配置され、その反対側の前面６０ａは、パッケージ製品５を展示状態に設置したときに、主に人々が見る面となる。なお、以下の説明において「前後」とは、特に断らない限り、パッケージ製品５の完成状態を基準に定義され、表面部材６０の前面６０ａ側が「前」、後面６０ｂ側が「後」である。一方、以下の説明において「左右」及び「上下」は、特に断らない限り、図１２の状態を基準に定義されるものとする。
【００４８】
表面部材６０の左端部には、第１裏面部材６１が連続しており、右端部には、第２裏面部材６２が連続している。これらの裏面部材６１，６２は、いずれも表面部材６０の上下方向全体に亘って連結されている。第１裏面部材６１は、第２裏面部材６２よりも左右方向に幅広であり、表面部材６０と概ね同じだけの幅を有する。そして、裏面部材６１，６２と表面部材６０との境界線Ｌ１，Ｌ２に沿って折り目及びミシン目が形成されており、裏面部材６１，６２は、境界線Ｌ１，Ｌ２に沿って容易に表面部材６０の後面６０ｂ側に折り返すことができる。
【００４９】
また、表面部材６０の上端部には、屋根部材６３が連続している。屋根部材６３は、表面部材６０の左右方向全体に亘って連結されている。そして、屋根部材６３と表面部材６０との境界線Ｌ３に沿って折り目及びミシン目が形成されており、屋根部材６３は、境界線Ｌ３に沿って容易に表面部材６０の後面６０ｂ側に折り返すことができる。表面部材６０の上部中央付近には、パッケージ製品５を吊り下げにより展示する場合にフックを通すことのできる丸孔６０ｃが形成されている。一方、屋根部材６３には、左右方向の中心付近に丸孔６３ａが形成されており、当該丸孔６３ａは、屋根部材を境界線Ｌ３に沿って折り返したときに、表面部材６０の丸孔６０ｃに対向する位置にくる。従って、吊り下げ用のフックは、これらの孔６３ａ，６０ｃを両方貫通することができ、その結果、吊り下げ時のパッケージ製品の重量は、孔６０ｃ，孔６３ａから分散されてフックに伝わることになる。よって、表面部材６０及び屋根部材６３が、孔６３ａ，６０ｃ付近から破壊しにくくなっている。
【００５０】
また、表面部材６０の下端部には、台座部材６４が連続している。台座部材６４は、表面部材６０の左右方向全体に亘って連結されている。そして、台座部材６４と表面部材６０との境界線Ｌ４に沿って折り目が形成されており、台座部材６４は、境界線Ｌ４に沿って、容易に表面部材６０の後面６０ｂ側に折り返すことができる。台座部材６４は、パッケージ製品５の完成体の状態で、当該完成体を起立させて展示するための台座となる。
【００５１】
表面部材６０には、５つの開口（引っ掛け孔）７０が形成されている。これらの開口７０は、各々、空気清浄器１００を引っ掛けて固定するため開口であり、同じ形状を有している。開口７０の形状は、容器１の側壁１１３の開口１１１側の端部での断面形状に概ね等しい矩形状である。従って、この開口７０には、空気清浄器１００の側壁１１３を底壁１１２側から開口１１１側まで通すことができるが、フランジ部１２は通すことができない。よって、フランジ部１２は、表面部材６０における開口７０の周囲の部位に引っ掛けられることになる。５つの開口７０は、左側に３段かつ右側に２段の態様で形成されており、左側最上段の開口７０の右側であって、右側上段の開口７０の上方には、開口７０は形成されていない。
【００５２】
パッケージ製品５を組み立ててゆくに当たっては、まず、以上の５つの開口７０に、各々１つずつ空気清浄器１００を固定する。このとき、空気清浄器１００を表面部材６０の後面６０ｂ側から通し、フランジ部１２が表面部材６０の後面６０ｂと接触するようにする。その結果、空気清浄器１００は、表面部材６０の前面６０ａ側から前方へ突出するような態様で、表面部材６０に固定される。図１２には、左側最上段の開口７０に引っ掛けたときの空気清浄器１００の位置が点線で示されている。
【００５３】
その後、図１３に示すように、屋根部材６３を境界線Ｌ３に沿って、表面部材６０の後面６０ｂと対面するように概ね１８０°折り返す。続いて、右側の第２裏面部材６２を境界線Ｌ２に沿って、表面部材６０の後面６０ｂと対面するように概ね１８０°折り返す。なお、図１３及び図１４には空気清浄器１００が示されていないが、実際にパッケージ製品５を組み立てる際には、図１３及び図１４の状態では、各開口７０に空気清浄器１００がセットされている。
【００５４】
次に、図１４に示すように、左側の第１裏面部材６１を境界線Ｌ１に沿って、表面部材６０の後面６０ｂと対面するように概ね１８０°折り返す。なお、裏面部材６１，６２及び屋根部材６３は、手で力を加えて１８０°折り返したとしても、手を離すとある程度元の状態に戻ろうとする。そのため、第１裏面部材６１の左端部の上下方向中央付近には、挿入片６５が連結されており、一方、第２裏面部材６２の上下方向中央付近には、スリット６６が形成されている。そして、挿入片６５がスリット６６に挿入されることにより、裏面部材６１，６２が互いに固定され、元の状態へ開こうとするのを防止することができる。また、このとき、屋根部材６３は、裏面部材６１，６２と表面部材６０との間に挟まれた状態になるため、屋根部材６３も元の状態へ開こうとすることが防止される。
【００５５】
なお、挿入片６５及びスリット６６を介して連結した状態においても、裏面部材６１，６２には、図１２の展開状態に戻ろうとする一定程度の復元力が掛かる。その結果、裏面部材６１，６２は、表面部材６０の後面６０ｂとの間に空間Ｓ４を形成しつつ、平面視において後方へ円弧状に膨出した状態となる（図１０参照）。このとき、特に左右方向の中央部が、表面部材６０の後面６０ｂに対し後方へ向けて突出する。なお、裏面部材６１，６２を重ね合わせた複合体の平面視における長さと、表面部材６０の平面視における長さとでは、前者の方が長くなっている。従って、裏面部材６１，６２の膨出が助長される。
【００５６】
ところで、図１２に示すとおり、第１裏面部材６１には、上下方向中央付近に、左右方向に延びるミシン目Ｌ５，Ｌ６が一定間隔を空けて形成されている。また、このミシン目Ｌ５，Ｌ６の右端には、指を挿入できる程度の開口６７が連続している。このミシン目Ｌ５，Ｌ６は、パッケージ製品５を購入した購入者が支持体６を解体して空気清浄器１００を取り外し易くするために設けられている。具体的には、図１１の完成品の状態において、開口６７より指を挿入し、摘み右側に引くことで、ミシン目Ｌ５，Ｌ６に沿って裏面部材６１が材破され、パッケージ製品５を開封することができる。
【００５７】
裏面部材６１，６２の連結が終わると、次に、台座部材６４の組み立てが行われる。台座部材６４は、表面部材６０の左右方向全体に亘って連結されている。台座部材６４は、台座が完成したときに底面部（支持面）を構成する底面部材６４ａと、後面を構成する後面部材６４ｂとを有する。また、台座部材６４は、台座の強度を向上させるための補助部材６４ｃ，６４ｄも有する。補助部材６４ｃは、台座の側面部を構成することになり、補助部材６４ｄは、底面部材６４ａに重ねられる。
【００５８】
より具体的に説明すると、底面部材６４ａは、表面部材６０の下端部に連結されている。従って、まず、底面部材６４ａを境界線Ｌ４に沿って、表面部材６０の後面６０ｂ側に概ね９０°折り返す（図９参照）。次に、底面部材６４ａの後端部に境界線Ｌ７を介して連結されている後面部材６４ｂを、当該境界線Ｌ７に沿って谷折りする。このとき、同時に、境界線Ｌ８〜Ｌ１０に沿って、補助部材６４ｃ，６４ｄも折り曲げる。なお、境界線Ｌ７は、境界線Ｌ４に平行に延びている。また、境界線Ｌ８は、補助部材６４ｃの左端部と後面部材６４ｂの右端部との境界線であり、境界線Ｌ９は、補助部材６４ｄの上端部と底面部材６４ａの下端部との境界線であり、線Ｌ８，Ｌ９は谷折りされる。一方、境界線Ｌ１０は、補助部材６４ｃ，６４ｄ間の境界線であり、山折りされる。以上の結果、表面部材６０及び裏面部材６１，６２の後方の左側の位置において、図９及び図１１に示されるような台座が完成する。以下では、台座部材６４を折り曲げることにより形成される台座にも、符号６４を付すこととする。
【００５９】
なお、境界線Ｌ７〜Ｌ９に沿った折り曲げのみでは、台座６４の形状は固定されない。裏面部材６１，６２の場合と同じく、台座部材６４が図１２の展開状態にある程度復帰しようとするからである。そのため、底面部材６４ａの後端部には、挿入片６８が連結されており、第１裏面部材６１には、この挿入片６８を挿入可能なスリット６９が形成されている。なお、スリット６９は、ミシン目Ｌ６の中央に割り込むような態様で形成されている。そして、挿入片６８がスリット６９に挿入されることにより、台座６４と第１裏面部材６１とが互いに連結され、台座６４が元の状態へ開こうとするのを防止することができる。
【００６０】
＜３−２．パッケージ製品の完成体＞
以上の手順により、図８〜図１１に示すパッケージ製品５が作成される。そして、このようにして作成されたパッケージ製品５は、上記のとおり、陳列棚等に起立させて展示することもできるし、吊り下げにより展示することもできる。
【００６１】
まず、起立させて展示される場合のパッケージ製品５について説明する。パッケージ製品５は、図９に示すとおり、台座６４の底面部材６４ａを水平面に置いた状態で安定的に起立することができる。これは、１つには、台座６４により支持される表面部材６０及び裏面部材６１，６２が多層構造を形成しており、これらの複合体６０〜６２としての厚みが確保されるからである。また、裏面部材６１，６２が円弧状に後方に向かって膨出していることも、この厚みの確保に寄与し、起立時のバランスが保たれるようになっている。
【００６２】
さらに、この起立状態（展示状態）では、台座６４は、表面部材６０及び裏面部材６１，６２が上方へ向かうにつれて後方へ傾斜するように、これらの部材６０〜６２を起立させる。そのため、表面部材６０の前方の空気清浄器１００の重量により、パッケージ製品５が前方へ転倒してしまうこともない。
【００６３】
また、以上のとおり、表面部材６０が傾斜した状態で起立することで、空気清浄器１００の容器１の下方側の側壁１１３は、容器１の内側において、鉛直方向に対し底壁１１２から離れるにつれて下方に傾斜する傾斜面１１３ａを構成することになる。その結果、容器１内で薬剤２から分離した水分は、重力によりこの傾斜面１１３ａを伝って底壁１１２から離れるように後方へ流れることとなる。特に、本実施形態では、側壁１１３が底壁１１２から離れるにつれて外方へ開くように構成されているため、傾斜面１１３ａの角度がより急峻となり、水分が増々後方へ流れ易くなっている。その結果、主に人が見ることになるパッケージ製品５の正面側、すなわち、底壁１１２側から空気清浄器１００を見る者の目に、水分が映りにくくなる。
【００６４】
また、容器１の下方後方まで流れた水分は、カバーシート３に吸収されるため、容器１内の薬剤２が収容される内部空間に、水分が留まりにくくなっている。また、カバーシート３に下方付近で補足された水分は、毛細管現象により上昇し、カバーシート３全体に行き渡る。この場合、支持体６から取り外し、遮水シート４を剥離して空気清浄器１００を使用しようとしたときには、カバーシート３は機能性成分を含む水分で湿潤していることになる。従って、使用開始後、カバーシート３の表面においても空気の浄化が行われる。また、カバーシート３の上部から、容器１内のゲル状薬剤２のうちの上方の乾いた部分へと水分が受け渡され、これにより、乾いた薬剤２を湿らすこともできる。
【００６５】
さらに、容器１内の水分は、遮水シート４とカバーシート３との間に形成される空間Ｓ２（図５参照）内においても捕捉されることが期待される。また、カバーシート３とフランジ部１２との間の空間Ｓ１（図５参照）にも捕捉される。
【００６６】
以上のとおりの様々な工夫により、底壁１１２側からだけでなく、どの方向からパッケージ製品５を見たとしても、容器１内の水分をほぼ人の目に映らないようにすることができる。その結果、容器１内で光が屈曲、乱反射し、従って、パッケージ製品がキラキラと輝くようになり、美観が高められ、人々の購買意欲を掻き立てることができる。
【００６７】
次に、パッケージ製品５が吊り下げて展示される場合について説明する。上記のとおり、本実施形態では、側壁１１３が底壁１１２から離れるにつれて外方へ開くように構成されている。そのため、容器１の下方側の側壁１１３には依然として、展示状態で鉛直方向に対し傾斜する傾斜面１１３ａが形成される。従って、容器１内の水分を後方へ送り、人々の視界から遠ざけることができる。
【００６８】
また、以上説明した構成により、支持体６は、前後方向からの衝撃に対し良好なクッション性を示す。また、容器１が十分な可撓性を有する場合には、この容器１もクッション性の向上に寄与する。さらに、容器１内のビーズ状の多数の薬剤の玉も、玉間の空間に衝撃を逃がしたり、玉の移動により運動エネルギーを消費したりすることで、クッション性の向上に寄与する。その結果、パッケージ製品５は、外力に対する耐久性が高く、支持体６や容器１が破損してしまうことが防止される。よって、パッケージ製品５を保護することができるとともに、輸送時等の緩衝材を減らすことができる。
【００６９】
ところで、表面部材６０の前方において台座６４に対向する位置には、空気清浄器１００が配置されている。そのため、パッケージ製品５の重心が台座６４に近づき、台座６４でしっかりとパッケージ製品を起立させることができる。
【００７０】
また、表面部材６０の前方において、台座６４に対向する対向位置と概ね回転対称な位置には、空気清浄器１００は固定されていない。むしろ、同位置には、台座を配置可能な広さを有する空間Ｓ３が広がっている（図８参照）。その結果、２つのパッケージ製品５を、回転軸（表面部材６０の中心を通り表面部材６０に直交する軸）に対し互いに１８０°回転させて対面させれば、図１５に示すような状態となる。図１５では、裏面部材６１，６２の表面から突出した台座６４が、空間Ｓ３に収容されている様子が示されている。従って、複数のパッケージ製品５を場所をとらずに並べることが可能になる。
【００７１】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は適宜組み合わせることができる。
【００７２】
＜４−１＞
上記実施形態では、容器１にフランジ部１２を設けているが、容器１の開口１１１を閉じるようにカバーシート３及び遮水シート４が取り付けられている限り、フランジ部１２は必ずしも必要ではない。また、カバーシート３を省略することもできるし、これに代えて又は加えて、遮水シート４を省略することもできる。開口１１１は、任意の態様で封止することができる。
【００７３】
＜４−２＞
支持体６に空気清浄器１００を取り付けた展示状態で水を貯めるために、例えば、図１６に示すように、容器本体１１の開口１１１の周縁に内径の大きい段部１１５を設けることができる。
【００７４】
＜４−３＞
容器１の形状は、特には限定されず、直方体状以外にも、円筒状など種々の形状にすることができる。また、開口の位置は必ずしも、上部でなくてもよく、側面部にあってもよい。
【００７５】
＜４−４＞
上記実施形態では、側壁１１３が底壁１１２から離れるにつれて外方へ開くように構成されていたが、側壁１１３の形状はこれに限定されない。例えば、側壁１１３が底壁１１２から真っ直ぐ開口１１１側へ延びるように構成することもできる。そして、この場合であっても、例えば、台座６４により表面部材６０が後方へ倒れるように支持される場合には、水分を後方へ送るという上記機能を発揮する傾斜面が同様に形成され得る。
【００７６】
＜４−５＞
上記実施形態では、容器１全体が透明とされ、外部から視認可能とされたが、容器１は部分的に視認可能とすることもできる。また、この場合においては、容器１の底壁１１２を透明とすることが好ましい。人々がパッケージ製品５を正面から見たときの美観を向上させることができるからである。
【００７７】
＜４−６＞
上記実施形態では、空気清浄器１００が台紙状の支持体６により支持されたが、空気清浄器１００を支持する支持体の形態はこれに限定されない。例えば、支持体を、図１７に示すような、内部に空気清浄器１００を収容可能な箱体９０として形成することもできる。
【００７８】
図１７に示す箱体９０を支持体とするパッケージ製品９は、複数の空気清浄器１００を多段式に積み重ねた状態で、箱体９０内に収容したものである。図１７からは不明であるが、箱体９０は、前方がやや丸みを帯びた円柱形状に形成されており、箱体９０の断面の大きさは、空気清浄器１００の（積み重ねた状態での）断面の大きさと概ね等しい。そのため、空気清浄器１００は箱体９０に支持され、たとえ箱体９０をどのような方向に向けたとしても、箱体９０内で多段式に積み重ねられた状態を保つ。
【００７９】
また、空気清浄器１００に対し箱体９０がやや大きい場合には、図１７に示すように、空気清浄器１００の箱体９０内での配置が多少安定となることがある。しかしながら、側壁１１３が底壁１１２から離れるにつれて外方へ開くように構成されている空気清浄器１００の場合には、箱体９０内で空気清浄器１００が前方へ倒れたとしても（図１７の中段の空気清浄器１００を参照）、依然として下方の側壁１１３は、後方へ向かうにつれて下方に傾斜する傾斜面１１３ａを形成する。
【符号の説明】
【００８０】
１  容器
１００  空気清浄器
１１１  開口
１１２  底壁（底面部）
１１３  側壁（側面部）
１１３ａ  傾斜面
１２  フランジ部
２  薬剤
３  カバーシート
４  遮水シート
５  パッケージ製品
６  支持体
６０  表面部材（固定面部）
６４  台座
【図１】
2016147704.tif 000003
【図２】
2016147704.tif 000004
【図３】
2016147704.tif 000005
【図４】
2016147704.tif 000006
【図５】
2016147704.tif 000007
【図６】
2016147704.tif 000008
【図７】
2016147704.tif 000009
【図８】
2016147704.tif 000010
【図９】
2016147704.tif 000011
【図１１】
2016147704.tif 000012
【図１２】
2016147704.tif 000013
【図１３】
2016147704.tif 000014
【図１４】
2016147704.tif 000015
【図１５】
2016147704.tif 000016
【図１６】
2016147704.tif 000017
【図１７】
2016147704.tif 000018
【図１０】
2016147704.tif 000019